(57)【特許請求の範囲】
【請求項１】
上流側に入口を有し下流側に出口を有する給水管と、前記給水管内に配置された弁棒と、前記弁棒との間で開閉弁を構成する弁座と、前記弁座と前記弁棒を当接させる弾性体と、前記弾性体と前記弁棒との間に配置された浮遊部材とを備えた小動物用給水弁であって、
前記弁棒は、前記給水管内の下流側において傾動可能に配置され、前記給水管の前記出口から突出する先端部を有し、
前記弁棒の上流側端部には弁頭部が形成され、前記弁頭部の先端は半球状であり、
前記浮遊部材の一端部には半球面状の凹面部が形成され、前記凹面部に前記弁頭部が当接し、
前記浮遊部材の他端部に前記弾性体が当接し、
前記弁頭部の曲率半径Ｒ２と、前記弁頭部の先端が当接している前記浮遊部材の前記凹面部の曲率半径Ｒ１がＲ２／Ｒ１＝０．６０〜０．９０を満たし、
前記浮遊部材の外径Ｄ１と、前記給水管の内径Ｄ２とがＤ１／Ｄ２＝０．９０〜０．９８を満たすことを特徴とする小動物用給水弁。
【請求項２】
前記浮遊部材の前記他端部には凹面部が形成され、前記凹面部内に前記弾性体が当接していることを特徴とする請求項１記載の小動物用給水弁。
【請求項３】
前記弁棒の先端部には、前記弁棒より直径の大きい大径部が設けられていることを特徴とする請求項１記載の小動物用給水弁。
【請求項４】
前記大径部は、前記弁棒と同心の円板状であることを特徴とする請求項３記載の小動物用給水弁。
【請求項５】
前記大径部は、前記弁棒と同心の円板状であり、前記円板状の先端部の縁部が面取り加工されていることを特徴とする請求項３記載の小動物用給水弁。
【請求項６】
前記大径部は、前記出口の前方へ向けて凸をなす半球状であることを特徴とする請求項３記載の小動物用給水弁。
【請求項７】
前記弁棒の直径は前記出口の内径の２０〜６０％であり、かつ、前記大径部の直径は、前記出口の内径の７０〜１００％であることを特徴とする請求項３または４記載の小動物用給水弁。
【請求項８】
前記大径部の直径は、前記弁棒の直径の１６０〜５００％であることを特徴とする請求項３または４記載の小動物用給水弁。
【請求項９】
前記給水管が、上流側給水管と下流側給水管とを分解自在に連結してなり、前記大径部を有する前記弁棒を前記下流側給水管の前記出口の反対側から取り出すことができるように、前記大径部の直径は、前記下流側給水管の最小内径より小さいことを特徴とする請求項３または４記載の小動物用給水弁。
【請求項１０】
前記出口の外径縁部は、曲面状に面取りされていることを特徴とする請求項３または４記載の小動物用給水弁。
【発明の詳細な説明】
【技術分野】
【０００１】
本発明は、各種ねずみ、兎、モルモット、ハムスター、犬、猫、小形猿等の小動物、特に、離乳直後の３週〜４週齢のマウス（はつかねずみ）のような小動物でも僅かな力で水を容易に飲むことができ、水漏れが確実に防止できる小動物用給水弁に関する。
【背景技術】
【０００２】
従来、この種の小動物用給水弁としては、特許文献１に記載のものが知られている。この小動物用給水弁は、図１２に示すように、水の供給源に連結部９が連結される上流側給水管１と、この上流側給水管１の下流側端部に連結された下流側給水管２とを有する。下流側給水管２内の上流側端部にはリング状のパッキング６が装着され、このパッキング６を通して弁棒４が給水管１，２と同軸に支持されている。弁棒４の下流側先端は半球状に丸められて、下流側給水管２の下流側端部（出口）からわずかに突出し、小動物が触る作動部３にされている。弁棒４の上流側端部には拡大した弁頭部５が形成され、この弁頭部５の根本側の端面がパッキング６に当接している。弁頭部５の先端は半球状に形成され、浮遊部材７の一端に形成された凹面部に当接している。前記弁頭部５の曲率半径をＡ、浮遊部材７の凹面部の曲率半径をＢとすると、Ａ／Ｂは従来、約０．４５にされていた。浮遊部材７はスプリング８で押され、弁頭部５に当接させられている。また、浮遊部材７の外径をＣ、対応する箇所７Ａにおける上流側給水管１の内径をＤとすると、Ｃ／Ｄは従来、約０．８５にされていた。
【０００３】
この小動物用給水弁は、例えば、上流側の連結部９が給水配管に接続され、下流側給水管２の下流側端部を小動物用のケージ内に斜め下向きに挿入して配置される。小動物が弁棒４の作動部３に舌または歯で触ると、弁棒４は、スプリング８の付勢力に抗って下流側給水管２内で傾斜し、パッキング６と弁頭部５との間にわずかな隙間が生じ、この隙間を通じて上流側給水管１の内部の水が下流側給水管２に流れる。一度の作動で流れる水の量はごく微量である。
【先行技術文献】
【特許文献】
【０００４】
【特許文献１】特許第３２９７９０７号公報
【発明の概要】
【発明が解決しようとする課題】
【０００５】
しかし、前記従来の小動物用給水弁では、弁の作動に要する力が全方向に均一とならないことがあった。すなわち、ある方向に弁棒４を動かすのに必要な力と、他の方向に弁棒４を動かすのに必要な力が若干異なる場合があった。このため、特に非力な小動物では、特定の方向に弁棒４を押しても水を出すことが難しいことがあった。
【０００６】
本発明の課題は、非力な小動物でも全方向へ弁棒を押して弁を確実に開くことができ、水を飲みやすい小動物用給水弁を提供することにある。
【課題を解決するための手段】
【０００７】
本発明の小動物用給水弁は、下記（１）〜（１８）の構成のいずれかを有する。
（１）上流側に入口を有し下流側に出口を有する給水管と、前記給水管内に配置された弁棒と、前記弁棒との間で開閉弁を構成する弁座と、前記弁座と前記弁棒を当接させる弾性体と、前記弾性体と前記弁棒との間に配置された浮遊部材とを備えた小動物用給水弁であって、
前記弁棒は、前記給水管内の下流側において傾動可能に配置され、前記給水管の前記出口から突出する先端部を有し、
前記弁棒の上流側端部には弁頭部が形成され、前記弁頭部の先端は半球状であり、
前記浮遊部材の一端部には半球面状の凹面部が形成され、前記凹面部に前記弁頭部が当接し、
前記浮遊部材の他端部に前記弾性体が当接し、
前記弁頭部の曲率半径Ｒ２と、前記弁頭部の先端が当接している前記浮遊部材の前記凹面部の曲率半径Ｒ１がＲ２／Ｒ１＝０．６〜０．９を満たし、
前記浮遊部材の外径Ｄ１と、前記給水管の内径Ｄ２とがＤ１／Ｄ２＝０．９０〜０．９８を満たすことを特徴とする小動物用給水弁。
【０００８】
（２）前記浮遊部材の前記他端部には凹面部が形成され、前記凹面部内に前記弾性体が当接していることを特徴とする（１）に記載の小動物用給水弁。
（３）前記弁棒の先端部には、前記弁棒より直径の大きい大径部が設けられていることを特徴とする（１）または（２）に記載小動物用給水弁。
（４）前記大径部は、前記弁棒と同心の円板状であることを特徴とする（１）〜（３）のいずれかに記載の小動物用給水弁。
（５）前記大径部は、前記弁棒と同心の円板状であり、前記円板状の先端部の外周縁が面取り加工されていることを特徴とする（１）〜（４）のいずれかに記載の小動物用給水弁。
【０００９】
（６）前記大径部は、前記出口の前方へ向けて凸をなす半球状であることを特徴とする（１）〜（５）のいずれかに記載の小動物用給水弁。
（７）前記弁棒の直径は前記出口の内径の２０〜６０％であり、かつ、前記大径部の直径は、前記出口の内径の７０〜１００％であることを特徴とする（１）〜（６）のいずれかに記載の小動物用給水弁。
（８）前記大径部の直径は、前記弁棒の直径の１６０〜５００％であることを特徴とする（１）〜（７）のいずれかに記載の小動物用給水弁。
（９）前記給水管は、上流側給水管と下流側給水管とを分解自在に連結したものであり、前記大径部を有する前記弁棒を前記下流側給水管の前記出口の反対側から取り出すことができるように、前記大径部の直径は、前記下流側給水管の最小内径より小さいことを特徴とする（１）〜（８）のいずれかに記載の小動物用給水弁。
（１０）前記出口の外径縁部は、曲面状に面取りされている又はされていないことを特徴とする（１）〜（９）のいずれかに記載の小動物用給水弁。
【００１０】
（１１）上流側にを有し下流側に出口を有する給水管と、前記給水管内に配置された弁棒と、前記弁棒との間で開閉弁を構成する弁座と、前記弁座と前記弁棒を当接させる弾性体と、前記弾性体と前記弁棒との間に配置された浮遊部材とを備えた小動物用給水弁であって、
前記弁棒は、前記給水管内の下流側において傾動可能に配置され、前記給水管の前記出口から突出する先端部を有し、前記弁棒の先端部には、前記弁棒より直径の大きい大径部が設けられていることを特徴とする小動物用給水弁。
（１２）前記大径部は、前記弁棒と同心の円板状であることを特徴とする（１１）に記載の小動物用給水弁。
（１３）前記大径部は、前記弁棒と同心の円板状であり、前記円板状の先端部の外周縁が面取り加工されていることを特徴とする（１１）又は（１２）に記載の小動物用給水弁。
（１４）前記大径部は、前記出口の前方へ向けて凸をなす半球状であることを特徴とする（１１）〜（１３）のいずれかに記載の小動物用給水弁。
【００１１】
（１５）前記弁棒の直径は前記出口の内径の２０〜６０％であり、かつ、前記大径部の直径は、前記出口の内径の７０〜１００％であることを特徴とする（１１）〜（１４）のいずれかに記載の小動物用給水弁。
（１６）前記大径部の直径は、前記弁棒の直径の１６０〜５００％であることを特徴とする（１１）〜（１５）のいずれかに記載の小動物用給水弁。
（１７）前記給水管は、上流側給水管と下流側給水管とを分解自在に連結したものであり、前記大径部を有する前記弁棒を前記下流側給水管の前記出口の反対側から取り出すことができるように、前記大径部の直径は、前記下流側給水管の最小内径より小さいことを特徴とする（１１）〜（１６）のいずれかに記載の小動物用給水弁。
（１８）前記出口の外径縁部は、曲面状に面取りされている、または面取りされていないことを特徴とする（１１）〜（１６）のいずれかに記載の小動物用給水弁。
【発明の効果】
【００１２】
本発明の小動物用給水弁では、弁棒の上流側端部の弁頭部の曲率半径Ｒ２と、前記弁頭部の先端が当接している前記浮遊部材の前記凹面部の曲率半径Ｒ１がＲ２／Ｒ１＝０．６〜０．９を満たし、かつ、前記浮遊部材の外径Ｄ１と、前記給水管の内径Ｄ２とがＤ１／Ｄ２＝０．９０〜０．９８を満たしているから、前記弁棒が傾けられて前記弁頭部の当接位置が前記浮遊部材の凹面部の中心からずれた場合に、前記凹面部によって前記弁頭部を前記凹面部の中心に戻そうとする力、すなわち求心力(復元力)が高められるとともに、求心力／中心からの偏倚量の値がいずれの偏倚方向に対してもほぼ均一となる。したがって、前記弁棒が３６０゜いずれの方向に傾動した場合にも、弁の開閉に要する力がほぼ均一となるため、非力な小動物がいずれの方向へ弁棒を押した場合にも、弁を確実に開くことができ、水を飲みやすい。また、スプリングの復元力を弁を中心位置に戻す力に変換しやすくなるから、作動後に弁を中心位置に復帰させるレスポンスが早くなり、小動物が飲水した後の水垂れが少なくなる。
また、前記弁棒の前記下流側先端部に前記大径部が形成されている場合には、前記弁棒と前記給水管の内面との間に異物が侵入しにくく、異物による漏水のおそれが低減できる。また、前記大径部により小動物との接触面積および接触確率が増えるため、動物が触りやすくなり、非力な小動物の僅かな力でも水を容易且つ確実に飲むことができる。さらに、前記大径部が存在する場合には、弁が開いたときに、前記給水管の先端部と前記大径部の間に表面張力で水が給水弁先端に留まりやすくなり、この点からも小動物による水の摂取が容易になる。
【図面の簡単な説明】
【００１３】
【図１】本発明の小動物用給水弁の一実施形態を示す縦断面図である。
【図２】同実施形態の小動物用給水弁の一部を示す断面拡大図である。
【図３】同実施形態の小動物用給水弁の一部の分解図である。
【図４】本発明の小動物用給水弁の他の実施形態を示す縦断面図である。
【図５】同実施形態の下流側先端部を示す断面拡大図である。
【図６】同実施形態の一つの効果を示す断面拡大図である。
【図７】従来技術の一つの問題点を示す断面拡大図である。
【図８】本発明の他の実施形態を示す縦断面図である。
【図９】本発明の他の実施形態を示す縦断面図である。
【図１０】本発明の他の実施形態を示す縦断面図である。
【図１１】本発明の他の実施形態を示す縦断面図である。
【図１２】従来技術による小動物用給水弁を示す縦断面図である。
【発明を実施するための形態】
【００１４】
以下、図面を参照しつつ、本発明の好適な実施形態について説明する。ただし、本発明は以下の各実施形態に限定されるものではなく、例えばこれら実施形態の構成要素同士を適宜組み合わせてもよい。
【００１５】
＜第１の実施形態＞
本実施形態の小動物用給水弁は、図１に示すように、上流側に入口３１を有し下流側に出口１２Ａを有する給水管１０と、給水管１０内に同軸に配置された弁棒１４と、弁棒１４との間で開閉弁を構成するリング状の弁座（パッキング）１６と、弁座１６と弁棒１４の弁頭部１５とを当接させる弾性体１８と、弁頭部１５と弾性体１８との間に設けられた浮遊部材１７を備える。
【００１６】
給水管１０は細長い円筒形をなし、上流側給水管１１と下流側給水管１２とが分解可能かつ同軸に連結されている。上流側給水管１１と下流側給水管１２は、互いのメネジ部２２とオネジ部２４を螺合して組み立てられ、Ｏリング２７で封止されている。この構成によれば、下流側給水管１２を上流側給水管１１から取り外すことにより、弁棒１４は下流側給水管１２から容易に取り出すことができるので、取扱い易く、メンテナンスが容易である。
【００１７】
弁棒１４は、給水管１０内の下流側に同軸に配置され、上流側の端部には半球状の弁頭部１５が同軸に形成されている。弁棒１４は、弁頭部１５の先端中心を支点として、給水管１０の軸線に対して小さな角度範囲内（例えば１゜〜５゜程度）で傾動可能に配置されている。弁棒１４の下流側先端には、給水管１０の出口１２Ａから突出し、半球状に丸められた先端部（作動部）１３が形成されている。
【００１８】
本実施形態では、弾性体１８がコイルバネとされ、給水管１０の内部に形成された円筒形の内周面を持つ段部２３内に収容されている。前記コイルバネ１８と弁頭部１５との間には、円柱状をなして両端に断面円弧状の凹面部２８Ａ、２８Ｂが形成された浮遊部材１７が遊動可能に配置されている。弁棒１４との間で開閉弁を構成する弁座１６は、断面円形で環状の硬質ゴムや樹脂などからなるパッキングであってもよい。弁座１６は給水管１０内に形成されたＯリング座２０で支持されている。
【００１９】
コイルバネ１８の下流側端部はテーパー状に縮径され、窄まった先端が浮遊部材１７の凹曲部２８Ｂの中央に当接し、弁頭部１５は、浮遊部材１７の凹曲部２８Ａの中央に当接し、これらは給水管１０に対し全て同軸に配置されている。コイルバネ１８の押圧力は、浮遊部材１７を介して弁頭部１５の先端中心に集中している。凹面部２８の曲率半径は、弁頭部１５の曲率半径よりも大きく、弁頭部１５は一点で凹面部２８に当接している。
【００２０】
本実施形態の小動物用給水弁では、図３に示すように、前記弁棒１４の上流側端部の弁頭部１５の曲率半径Ｒ２と、弁頭部１５の先端が当接している凹面部２８Ａの曲率半径Ｒ１がＲ２／Ｒ１＝０．６〜０．９を満たしている。また、前記浮遊部材１７の外径Ｄ１と、前記給水管の内径Ｄ２とがＤ１／Ｄ２＝０．９０〜０．９８を満たしている。上記の範囲内であると、弁棒１４が傾けられて弁頭部１５の当接位置が浮遊部材１７の凹面部２８Ａの中心からずれた場合に、凹面部２８Ａによって弁頭部１５を凹面部２８Ａの中心に戻そうとする求心力(復元力)が高められるとともに、求心力／中心からの偏倚量の値がいずれの偏倚方向に対してもほぼ均一となる。したがって、弁棒１４が３６０゜いずれの方向に傾動した場合にも、弁の開閉に要する力がほぼ均一となる。より好ましくはＤ１／Ｄ２＝０．９２〜０．９８である。また、より好ましくはＲ２／Ｒ１＝０．６５〜０．８５である。これらの場合は、弁の動作がより安定になる。
【００２１】
この実施形態の小動物用給水弁は、例えば、上流側給水管１１の端部１１Ａが給水配管（図示略）に接続され、下流側給水管１２の出口１２Ａを小動物用のケージ内に斜め下向きに挿入して配置される。小動物が弁棒１４の前記作動部１３に舌または歯で触ると、前記作動部１３が移動して、前記弁棒１４は、スプリング１８の付勢力に抗って下流側給水管１２内で傾斜し、前記パッキング１６と前記弁頭部１５との間にわずかな隙間が生じ、この隙間を通じて上流側給水管１１の内部の水が下流側給水管１２に滴る。これにより、小動物が下流側給水管１２の出口１２Ａに溜まる水を飲むことができる。
【００２２】
その際、この実施形態では、凹面部２８Ａによって弁頭部１５を凹面部２８Ａの中心に戻そうとする求心力が高く、しかも、求心力／中心からの偏倚量の値がいずれの偏倚方向に対してもほぼ均一であるから、弁棒１４が３６０゜いずれの方向に傾動した場合にも、弁の開閉に要する力がほぼ均一となる。このため、非力な小動物がいずれの方向へ弁棒を押した場合にも、弁を確実に開くことができ、水を飲みやすい。また、作動後に弁を中心位置に復帰させるレスポンスが早く、小動物が飲水した後の水垂れが少ない。
【００２３】
また、本実施形態では、浮遊部材１７及びコイルバネ１８によって、弁棒１４を下流側給水管１２内の中心に常時位置決めさせることができるため、誰にでも簡単に組立てることができる。
【００２４】
さらに、水を供給する上流側給水管１１と、各種小動物が要求分の水を飲む下流側給水管１２とを分解自在に連結したことによって、上流側給水管１１と下流側給水管１２とを分解して、上流側給水管１１内から浮遊部材１７やコイルバネ１８を取出し、且つ下流側給水管１２内から弁棒１４やパッキング１６を取出して、弁棒１４、パッキング１６、コイルバネ１８、浮遊部材１７等の各部品を簡単且つ完全に洗浄することができる。よって、常時、衛生的に保持することができるばかりでなく、弁棒１４、パッキング１６、コイルバネ１８、浮遊部材１７等の各部品のうち、必要に応じて経年劣化したものだけを交換することができるため、維持費も節約することができる。
【００２５】
＜第２の実施形態＞
図４は第２実施形態の小動物用給水弁を示し、先の実施形態と同一の部分には同一符号を付して説明を省略する。弁棒１４は、給水管１０の出口１２Ａから突出する先端部を有し、先端部には、弁棒１４より直径の大きいやや扁平な半球状の大径部１４Ａが、弁棒１４と同心状に形成されている。
【００２６】
大径部１４Ａは、図５に示すように、弁棒１４と同心の円板状をなし、前方側の外周が曲率半径Ｒ５を以て、全周にわたって面取りされている。一方、後方側の外周はＲ５より小さい曲率半径で面取りされ、弁棒１４に連なる部分は全周にわたって凹曲面１４Ｂとされている。これにより、小動物が触った際に、大径部１４Ａの当たりが柔らかくなるように配慮されている。
【００２７】
弁棒１４の直径Ｄ４は限定されないが、前記弁棒１４の傾動範囲を適切にするように、例えば前記出口１２Ａの内径Ｄ３の２０〜６０％であることが好ましい。
大径部１４Ａの直径Ｄ５は限定されないが、例えば出口１２Ａの内径Ｄ３の７０〜１００％であることが好ましい。また、大径部１４Ａの直径Ｄ５は弁棒１４の直径Ｄ４の１６０〜５００％であることが好ましい。上記の範囲であれば後述する本実施形態の効果がさらに良好に得られる。
【００２８】
大径部１４Ａの弁棒長手方向の厚さＬ２は限定されないが、小動物による操作がしやすいように設定される。大径部１４Ａの後端と出口１２Ａとの間の離間距離Ｌ１は、例えば出口１２Ａの内径Ｄ３の１０〜５０％であることが好ましい。上記の範囲であれば後述する本実施形態の効果がさらに良好に得られる。大径部１４Ａの曲率半径Ｒ５は限定されないが、例えば大径部１４Ａの直径Ｄ５の２０〜５０％であることが好ましい。
【００２９】
本実施形態では、給水管１０の出口１２Ａの外周縁が曲面状に面取りされている。これにより、小動物の前脚や口が給水管１０の端部に邪魔されずに、大径部１４Ａを操作しやすくなっている。給水管１０の出口１２Ａの外周縁の曲率半径Ｒ４は限定されないが、例えば０．５〜２．０ｍｍであることが好ましい。
【００３０】
以上の構成からなる本実施形態の小動物用給水弁では、弁棒１４の下流側先端部に大径部１４Ａが形成されていることにより、小動物がその習性により弁棒１４と出口１２Ａの内面１２Ｂとの間に、床敷きやおがくずなどの異物を押し込もうとしても、大径部１４Ａが異物の侵入を阻止し、出口１２Ａに詰まった異物による漏水のおそれが低減できる。
また、大径部１４Ａがあることにより、小動物の口や前脚との接触面積および接触確率が増えるため、非力な小動物の僅かな力でも大径部１４Ａを動かしやすく、水を容易に飲むことができる。
【００３１】
さらに、図６に示すように、大径部１４Ａが存在するため、弁が開いたときに、給水管１０の出口１２Ａと大径部１４Ａの間にたまった水滴が比較的大面積を介して出口１２Ａおよび大径部１４Ａと接触するので、同サイズの従来装置よりも多い量の水を表面張力で保持することができ、この点からも小動物による水の摂取が容易になる。従来の小動物用給水弁では、図７に示すように、水滴との接触面積が小さいため、図６の場合よりも少量の水しか保持されない。
【００３２】
＜第２の実施形態の変更例＞
図８に示すように、前記出口１２Ａの外径縁部は、特に面取りをしていない形状としても、本発明の効果は得られる。
また、図９に示すように、大径部１４Ａの直径を出口１２Ａの内周面１２Ｂの内径よりも大きくしても良い。但し、この場合には、弁棒１４を出口１２Ａ側に引き抜くために、弁棒１４から弁頭部１５を分離可能にするなどの構造が必要となる。
また、図１０に示すように、大径部１４Ａを円板形にしてもよい。この場合、小動物の皮膚に大径部１４Ａのエッジが引っかかりやすいという効果が得られる。
【００３３】
さらに、図１１に示すように、給水管１０の入口３１内に、フィルタ４０を着脱可能に収容してもよい。フィルタ４０が配置された場合には、配管から供給される水に異物が入っていても、それを除去することが可能となり、給水弁が異物で誤動作する可能性を抑制できる。
【実施例】
【００３４】
図１〜図３に示した小動物用給水弁を実際に製造し、本発明の効果を調べた。給水管１０の全長は６０ｍｍ、外径は６ｍｍ、出口１２Ａの内面１２Ｂの内径は３ｍｍ、段部２３の内径は４ｍｍとした。弁棒１４の全長は２８ｍｍ、外径は１．５ｍｍ、弁頭部１５の外径は２．９ｍｍとした。浮遊部材１７の全長は５ｍｍ、凹曲部２８Ａ、２８Ｂの曲率半径Ｒ１は２．５ｍｍとした。
以上の寸法は変えずに、弁頭部５の曲率半径Ｒ２、浮遊部材１７の外径Ｄ１を変化させて、弁を開くのに必要な作動力を弁棒１４を中心として９０゜毎に４方向に測定した。
【００３５】
表１は、浮遊部材１７の外径Ｄ１と、給水管の内径Ｄ２との比Ｄ１／Ｄ２＝０.９に保ち、弁頭部５の曲率半径Ｒ２と、浮遊部材１７の凹面部２８Ａの曲率半径Ｒ１との比Ｒ２／Ｒ１＝０．４０、０．６０、０．７５、０．９、０．９８に変化させて、弁を開くのに必要な作動力を弁棒１４を中心として９０゜毎に４方向に測定した結果を示す。
【００３６】
【表１】
0005961667.tif 000002
【００３７】
表１に示すように、Ｒ２／Ｒ１＝０．４０の比較例１では、作動部１３を移動させる方向によって弁の動作に必要な力が不均一であった。
【００３８】
次に、弁頭部５の曲率半径Ｒ２と、浮遊部材１７の凹面部２８Ａの曲率半径Ｒ１の比Ｒ２／Ｒ１＝０．８に固定し、浮遊部材１７の外径Ｄ１を変化させることにより、給水管の内径Ｄ２との比Ｄ１／Ｄ２＝０．８０、０．９０，０．９２５、０．９５、０．９８に変化させた場合に、弁を開くのに必要な作動力を弁棒１４を中心として９０゜毎に４方向に測定した。結果を表２に示す。
【００３９】
【表２】
0005961667.tif 000003
【００４０】
表２に示すように、Ｄ１／Ｄ２＝０．８０の比較例３では、作動部１３を移動させる方向によって弁の動作に必要な力が不均一であった。これに対し、実施例５〜８では、弁の動作に必要な力が軽く、いずれの方向においてもほぼ均一であった。
【００４１】
表１と表２の結果から、実施例１〜６の小動物用給水弁では、浮遊部材１７による弁頭部１５に対する求心力が高められ、弁の作動に要する力が全方向に均一となった。一方、本発明の範囲を外れた比較例１〜４では、弁の作動に要する力が全方向に均一にならないか、別の問題が生じた。
【産業上の利用可能性】
【００４２】
本発明は、非力な小動物でも全方向へ弁棒を押して弁を確実に開くことができ、水を飲みやすく、また、詰まりが発生することが抑制されている小動物用給水弁を提供する。したがって、産業上の利用可能性を有する。
【符号の説明】
【００４３】
１０  給水管
１１  上流側給水管
１１Ａ  連結部
１２  下流側給水管
１２Ａ  出口
１３  作動部
１４  弁棒
１４Ａ  大径部
１５  弁頭部
１６  パッキング（弁座）
１７  浮遊部材
１８  弾性体（コイルバネ）
２０  Ｏリング座
２２  メネジ部
２３  段部
２４  オネジ部
２５  最小内径部
２７  Ｏリング 
２８Ａ、２８Ｂ  凹面部
３１  入口
４０  フィルタ
【図１】
0005961667.tif 000004
【図２】
0005961667.tif 000005
【図３】
0005961667.tif 000006
【図４】
0005961667.tif 000007
【図５】
0005961667.tif 000008
【図６】
0005961667.tif 000009
【図７】
0005961667.tif 000010
【図８】
0005961667.tif 000011
【図９】
0005961667.tif 000012
【図１０】
0005961667.tif 000013
【図１１】
0005961667.tif 000014
【図１２】
0005961667.tif 000015